(57)【要約】【課題】筐体を溶接作業とメッキする作業とを省いて作成することを可能にする技術を提供する。【解決手段】支柱４１，４２，４３，４４に連結された天板２０の隅部２１，２２，２３，２４と支柱４１，４２，４３，４４の一端とを互いに固定し、支柱４１，４２，４３，４４に連結された底板３０の隅部３１，３２，３３，３４と支柱４１，４２，４３，４４の他端とを互いに固定する複数のコーナ固定部材５１，５２，５３，５４，６１，６２，６３，６４を有し、天板２０、底板３０、支柱４１，４２，４３，４４、コーナ固定部材５１，５２，５３，５４，６１，６２，６３，６４はメッキ済みである。【選択図】図５
2014175556.tif 000002
【特許請求の範囲】
【請求項１】
多角形形状の一対の天板および底板と、前記天板と前記底板とが対向した状態で前記天板および前記底板を互いに連結する複数の支柱と、を有する筐体であって、
前記支柱に連結された前記天板の隅部と前記支柱の一端とを互いに固定し、前記支柱に連結された前記底板の隅部と前記支柱の他端とを互いに固定する複数のコーナ固定部材を有し、
前記天板、前記底板、前記支柱、前記コーナ固定部材はメッキ済みである、筐体。
【請求項２】
請求項１に記載の筐体において、
前記コーナ固定部材の外側方向の面と前記天板の内側方向の面とが接触し、かつ、前記コーナ固定部材の外側方向の面と前記支柱の内側方向の面とが接触した状態で前記天板の隅部と前記支柱の一端とが固定され、
前記コーナ固定部材の外側方向の面と前記底板の内側方向の面とが接触し、かつ、前記コーナ固定部材の外側方向の面と前記支柱の内側方向の面とが接触した状態で前記底板の隅部と前記支柱の他端とが固定される、筐体。
【請求項３】
請求項１または２に記載の筐体において、
扉と、前記扉が取り付けられる扉取付部と、をさらに有し、
前記扉取付部の外側方向には突出した突出面が設けられ、
前記扉の内側方向の前記突出面と対向する位置にパッキンが設けられ、
前記突出面は、前記パッキンに挿入される、筐体。
【請求項４】
多角形形状の一対の天板および底板と、前記天板と前記底板とが対向した状態で前記天板および前記底板を互いに連結する複数の支柱と、を有する風力発電装置用変換器筐体であって、
前記支柱に連結された前記天板の隅部と前記支柱の一端とを互いに固定し、前記支柱に連結された前記底板の隅部と前記支柱の他端とを互いに固定する複数のコーナ固定部材を有し、
前記天板、前記底板、前記支柱、前記コーナ固定部材はメッキ済みである、風力発電装置用変換器筐体。
【請求項５】
請求項４に記載の風力発電装置用変換器筐体において、
前記コーナ固定部材の外側方向の面と前記天板の内側方向の面とが接触し、かつ、前記コーナ固定部材の外側方向の面と前記支柱の内側方向の面が接触した状態で前記天板の隅部と前記支柱の一端とが固定され、
前記コーナ固定部材の外側方向の面と前記底板の内側方向の面とが接触し、かつ、前記コーナ固定部材の外側方向の面と前記支柱の内側方向の面とが接触した状態で前記底板の隅部と前記支柱の他端とが固定される、風力発電装置用変換器筐体。
【請求項６】
請求項４または５に記載の風力発電装置用変換器筐体において、
扉と、前記扉が取り付けられる扉取付部と、をさらに有し、
前記扉取付部の外側方向に突出した突出面を、前記扉の内側方向に設けられたパッキンに挿入する、風力発電装置用変換器筐体。
【請求項７】
請求項４〜６に記載の風力発電装置用変換器筐体において、
前記天板、前記底板、前記支柱、前記コーナ固定部材は表面に金属粒子が結合されることでメッキ済みである、風力発電装置用変換器筐体。
【発明の詳細な説明】
【技術分野】
【０００１】
本発明は、筐体および風力発電装置用変換器筐体に関する。
【背景技術】
【０００２】
特開２０１２−１５１３３０号公報（特許文献１）には、「通信機器のユニットを収納する筐体に於いて、該筐体が上面板と下面板と２枚の側面板と扉体とにより構成され、前記筐体の隅部に各面板の少なくとも２つの面板をリベットにて固定する筐体コーナ金具を設け、前記扉体の隅部にリベットにて固定された扉コーナ金具を設けた。」と記載されている。
【０００３】
また、特開２０１１−２９３６３号公報（特許文献２）には、「４本のアングル材における上下端を、天板と底板に取付けた取付金具に固定することで、前記アングル材間に取付ける棚板に対して電源装置等の重量物を載せても前後、左右および上下方向の揺れを防止できる。」と記載されている。
【０００４】
さらに、特許第３６００９４８号公報（特許文献３）には、「多角形形状に形成された一対の枠と、前記一対の枠の隅に配置されて前記一対の枠を互いに連結するための複数の支柱とを備え、前記一対の枠と前記複数の支柱とが相対向する対向面にそれぞれ締結部材挿入用貫通孔を形成し、前記一対の枠の前記複数の支柱との対向面と前記複数の支柱の前記一対の枠との対向面のうち一方の対向面に突起を形成し他方の対向面には前記突起に嵌合可能な嵌合穴を形成し、前記締結部材挿入用貫通孔内に挿入された締結部材の締結により前記突起と前記嵌合穴とがそれぞれ嵌合してなるとともに、前記一対の枠と前記複数の支柱とが互いに接合してなり、前記突起は、円錐形状または断面が台形形状に形成された丸形突起または角形突起で、前記嵌合穴の径は、該嵌合穴の金属面接触部が前記突起の斜面に当接する大きさとなっている機器装着用筐体を構成した。」と記載されている。
【先行技術文献】
【特許文献】
【０００５】
【特許文献１】特開２０１２−１５１３３０号公報
【特許文献２】特開２０１１−２９３６３号公報
【特許文献３】特許第３６００９４８号公報
【発明の概要】
【発明が解決しようとする課題】
【０００６】
特許文献１および特許文献２に記載された筐体は、メッキ済みの部材にて組み立てられておらず、組み立てた後に筐体をメッキする作業が発生する。
【０００７】
特許文献３に記載された筐体は、天板と底板とを有しておらず、天板と底板とを溶接して取り付ける作業が発生する。
【０００８】
本発明の目的は、溶接作業とメッキする作業とを省いて筐体を作成することを可能にする技術を提供することである。
【課題を解決するための手段】
【０００９】
本願において開示される発明のうち、代表的なものの概要を簡単に説明すれば、次の通りである。
【００１０】
本発明の一実施の形態は、多角形形状の一対の天板および底板と、前記天板と前記底板とが対向した状態で前記天板および前記底板を互いに連結する複数の支柱と、を有する筐体であって、前記支柱に連結された前記天板の隅部と前記支柱の一端とを互いに固定し、前記支柱に連結された前記底板の隅部と前記支柱の他端とを互いに固定する複数のコーナ固定部材を有する。また、前記天板、前記底板、前記支柱、前記コーナ固定部材はメッキ済みである。
【００１１】
また、他の実施の形態では、多角形形状の一対の天板および底板と、前記天板と前記底板とが対向した状態で前記天板および前記底板を互いに連結する複数の支柱と、を有する風力発電装置用変換器筐体であって、前記支柱に連結された前記天板の隅部と前記支柱の一端とを固定し、前記支柱に連結された前記底板の隅部と前記支柱の他端とを互いに固定する複数のコーナ固定部材を有する。また、前記天板、前記底板、前記支柱、前記コーナ固定部材はメッキ済みである。
【発明の効果】
【００１２】
本願において開示される発明のうち、代表的なものによって得られる効果を簡単に説明すれば以下のとおりである。
【００１３】
本発明の一実施の形態によれば、溶接作業とメッキする作業とを省いて筐体を作成することが可能になる。
【図面の簡単な説明】
【００１４】
【図１】風力発電装置用変換器が設置される風力発電装置の側面図である。
【図２】風力発電装置用変換器が設置される風力発電装置の他の側面図である。
【図３】風力発電装置用変換器の正面図である。
【図４】風力発電装置用変換器の構成例の概要を示す図である。
【図５】本発明が適用された筐体の一例である風力発電装置用変換器筐体の斜視図である。
【図６】図５に示されているコーナ固定部材とその周辺の分解斜視図である。
【図７】図５に示されている扉取付部の拡大斜視図である。
【図８】図５に示されている扉取付部に扉が取り付けられる前の状態を示す拡大斜視図である。
【図９】図５に示されている扉取付部に扉が取り付けられた後の状態を示す拡大斜視図である。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。
【００１６】
＜風力発電装置＞
図１、図２に示すように、風力発電装置２０００は、地面に設置されるタワー２３００と、タワー２３００の頂部に設けられるナセル２２００と、ナセル２２００の端部に設けられるブレード２１００と、タワー２３００内部またはナセル２２００内部に設置される風力発電装置用変換器１０００とを有する。
【００１７】
ブレード２１００の回転に伴いナセル２２００とタワー２３００とは揺れ、この揺れは風力発電装置用変換器１０００に伝達される。
【００１８】
＜風力発電装置用変換器＞
図３は、風力発電装置用変換器１０００の正面図である。また、図４は、風力発電装置用変換器１０００の構成例の概要を示す図である。
【００１９】
図３、図４に示すように、風力発電装置用変換器１０００は、制御電源部１１００と、コンバータ・インバータ部１２００と、を有し、制御電源部１１００は、制御電源盤１１１０と、この制御電源盤１１１０を収容する風力発電装置用変換器筐体１とを有する。そして、コンバータ・インバータ部１２００は、コンバータ・インバータ盤１２１０と、このコンバータ・インバータ盤１２１０を収容する風力発電装置用変換器筐体１とを有する。
【００２０】
図４に示すように、制御電源盤１１１０は発電機１１１１に接続され、コンバータ・インバータ盤１２１０は、系統側１３００に接続される。
【００２１】
制御電源盤１１１０は、発電機１１１１からの交流電圧（または、電流）が、コンバータ・インバータ盤１２１０のコンバータにて直流電圧（または、電流）へと変換されるように制御する。その後、制御電源盤１１１０は、直流電圧（または、電流）が、コンバータ・インバータ盤１２１０のインバータにて所定の周波数の交流電圧（または、電流）へ変換されるように制御する。最後に、制御電源盤１１１０は、この交流電圧（または、電流）が系統側１３００へと送られるように制御する。
【００２２】
＜風力発電装置用変換器筐体の全体構成＞
図５は、本発明が適用された筐体の一例である風力発電装置用変換器筐体１の斜視図である。以下、筐体の内部へ向かう方向を内側方向といい、筐体の内部と逆方向へ向かう方向を外側方向という。
【００２３】
図５において、風力発電装置用変換器筐体１は、四角形状の一対の天板２０および底板３０と、これらの天板２０と底板３０とが対向した状態で天板２０および底板３０を互いに連結する４本の支柱４１，４２，４３，４４と、支柱４１，４２，４３，４４に連結された天板２０の隅部２１，２２，２３，２４と支柱４１，４２，４３，４４の一端とを互いに固定する４つのコーナ固定部材６１，６２，６３，６４と、支柱４１，４２，４３，４４に連結された底板３０の隅部３１，３２，３３，３４と支柱４１，４２，４３，４４の他端とを互いに固定する４つのコーナ固定部材５１，５２，５３，５４と、扉取付部９０とを有する。
【００２４】
天板２０は、４辺を垂直に屈曲させることで形成された複数の側面部２００，２１０を有する。
【００２５】
底板３０は、天板２０と同一の形状であり、４辺を垂直に屈曲させることで、形成された側面部３００，３１０，３２０，３３０を有する。
【００２６】
１本の支柱４１は、平面部４００と、この平面部４００に直交する平面部４１０とから形成される。他の支柱４２，４３，４４は支柱４１と同一の形状である。
【００２７】
支柱４１，４２，４３，４４の一端は、コーナ固定部材６１，６２，６３，６４を介して、天板２０の隅部２１，２２，２３，２４に固定される。
【００２８】
支柱４１，４２，４３，４４の他端は、コーナ固定部材５１，５２，５３，５４を介して、底板３０の隅部３１，３２，３３，３４に固定される。
【００２９】
より詳細には、コーナ固定部材６１の外側方向の面と天板２０の内側方向の面とが接触し、かつ、コーナ固定部材６１の外側方向の面と支柱４１の内側方向の面とが接触した状態で、天板２０の隅部２１と支柱４１の一端とが固定される。さらに、コーナ固定部材５１の外側方向の面と底板３０の内側方向の面とが接触し、かつ、コーナ固定部材５１の外側方向の面と支柱４１の内側方向の面とが接触した状態で、底板３０の隅部３１と支柱４１の他端とが固定される。
【００３０】
また、コーナ固定部材６２の外側方向の面と天板２０の内側方向の面とが接触し、かつ、コーナ固定部材６２の外側方向の面と支柱４２の内側方向の面とが接触した状態で、天板２０の隅部２２と支柱４２の一端とが固定される。さらに、コーナ固定部材５２の外側方向の面と底板３０の内側方向の面とが接触し、かつ、コーナ固定部材５２の外側方向の面と支柱４２の内側方向の面とが接触した状態で、底板３０の隅部３２と支柱４２の他端とが固定される。
【００３１】
また、コーナ固定部材６３の外側方向の面と天板２０の内側方向の面とが接触し、かつ、コーナ固定部材６３の外側方向の面と支柱４３の内側方向の面とが接触した状態で、天板２０の隅部２３と支柱４３の一端とが固定される。さらに、コーナ固定部材５３の外側方向の面と底板３０の内側方向の面とが接触し、かつ、コーナ固定部材５３の外側方向の面と支柱４３の内側方向の面とが接触した状態で、底板３０の隅部３３と支柱４３の他端とが固定される。
【００３２】
また、コーナ固定部材６４の外側方向の面と天板２０の内側方向の面とが接触し、かつ、コーナ固定部材６４の外側方向の面と支柱４４の内側方向の面とが接触した状態で、天板２０の隅部２４と支柱４４の一端とが固定される。さらに、コーナ固定部材５４の外側方向の面と底板３０の内側方向の面とが接触し、かつ、コーナ固定部材５４の外側方向の面と支柱４４の内側方向の面とが接触した状態で、底板３０の隅部３４と支柱４４の他端とが固定される。
【００３３】
＜風力発電装置用変換器筐体の詳細構成＞
図６は、図５に示されているコーナ固定部材５１とその周辺の分解斜視図である。なお、他のコーナ固定部材５２，５３，５４，６１，６２，６３，６４もコーナ固定部材５１と同一の形状である。
【００３４】
コーナ固定部材５１は、第１側面部５２０と、この第１側面部５２０と直交する第２側面部５３０と、第１側面部５２０および第２側面部５３０と直交する底面部５４０とから形成されている。第１側面部５２０には、リベット６２１，６２２，６２３が挿入されるリベット挿入孔５２１，５２２，５２３が形成されている。第２側面部５３０には、リベット６３１，６３２，６３３が挿入されるリベット挿入孔５３１，５３２，５３３が形成されている。底面部５４０には、リベット６４１，６４２が挿入されるリベット挿入孔５４１，５４２が形成されている。
【００３５】
底板３０の水平面には、リベット６４１，６４２が挿入されるリベット挿入孔３４１，３４２が形成されている。また、底板３０の側面部３００には、リベット６２１が挿入されるリベット挿入孔３２１が形成され、底板３０の側面部３１０には、リベット６３１が挿入されるリベット挿入孔３３１が形成されている。
【００３６】
支柱４１の平面部４００には、リベット６２２，６２３が挿入されるリベット挿入孔４２２，４２３が形成され、平面部４１０には、リベット６３２，６３３が挿入されるリベット挿入孔４３２，４３３が形成されている。
【００３７】
リベット６２１は、リベット挿入孔３２１とリベット挿入孔５２１とを介して内側方向へ向かって挿入され、挿入後にリベット６２１の先端が、かしめられることで側面部３００の内側方向の面と、第１側面部５２０の外側方向の面とが接触した状態で固定される。
【００３８】
リベット６３１は、リベット挿入孔３３１とリベット挿入孔５３１とを介して内側方向へ向かって挿入され、挿入後にリベット６３１の先端が、かしめられることで側面部３１０の内側方向の面と、第２側面部５３０の外側方向の面とが接触した状態で固定される。
【００３９】
リベット６４１は、リベット挿入孔３４１とリベット挿入孔５４１とを介して内側方向へ向かって挿入される。また、リベット６４２は、リベット挿入孔３４２とリベット挿入孔５４２とを介して内側方向へ向かって挿入される。そして、挿入後にリベット６４１とリベット６４２の先端が、かしめられることで底板３０の水平面の内側方向の面と底面部５４０の外側方向の面とが接触した状態で固定される。
【００４０】
リベット６２２は、リベット挿入孔４２２とリベット挿入孔５２２とを介して内側方向へ向かって挿入される。また、リベット６２３は、リベット挿入孔４２３とリベット挿入孔５２３とを介して内側方向へ向かって挿入される。そして、挿入後にリベット６２２とリベット６２３の先端が、かしめられることで、平面部４００の内側方向の面と第１側面部５２０の外側方向の面とが接触した状態で固定される。
【００４１】
リベット６３２は、リベット挿入孔４３２とリベット挿入孔５３２とを介して内側方向へ向かって挿入される。また、リベット６３３は、リベット挿入孔４３３とリベット挿入孔５３３とを介して内側方向へ向かって挿入される。そして、挿入後にリベット６３２とリベット６３３の先端が、かしめられることで、平面部４１０の内側方向の面と第２側面部５３０の外側方向の面とが接触した状態で固定される。
【００４２】
なお、天板２０と底板３０と支柱４１，４２，４３，４４とコーナ固定部材５１，５２，５３，５４，６１，６２，６３，６４とは、組み立て前には、いずれも表面に金属粒子が結合されることでメッキ済みであり、メッキ済みの各部材が組み立てられることで、風力発電装置用変換器筐体１は、作成される。これにより、メッキ面を剥離することなく、アース接続が可能である。
【００４３】
図７は、図５に示されている扉取付部９０の拡大斜視図である。また、図８は、図５に示されている扉取付部９０に扉９１が取り付けられる前の状態を示す斜視図であり、図９は、図５に示されている扉取付部９０に扉９１が取り付けられた後の状態を示す斜視図である。
【００４４】
図７に示すように、扉取付部９０は、側面部２００と直交する平面であって、外側方向に突出した突出面７１０と、支柱４１と直交する平面であって、外側方向に突出した突出面７２０とを有する。また、突出面７１０，７２０とは扉取付部９０の全周に沿って設けられる。
【００４５】
図８、図９に示すように、扉取付部９０に取り付けられる扉９１の内側方向の、突出面７１０と対向する位置には、パッキン８１０が設けられている。パッキン８１０には、弾性があり、パッキン８１０の素材は、例えばゴムやスポンジが該当する。
【００４６】
突出面７１０が、パッキン８１０に挿入されることによって、扉９１と風力発電装置用変換器筐体１との間の隙間が塞がれる。これによって、風力発電装置用変換器筐体１の内部へ水や埃が浸入することを防止できるようになる。
【００４７】
＜本実施の形態の効果＞
以上説明した本実施の形態における風力発電装置用変換器筐体１によれば、メッキ済みの天板２０と底板３０と支柱４１，４２，４３，４４とコーナ固定部材５１，５２，５３，５４，６１，６２，６３，６４とが組み立てられることで、溶接作業とメッキする作業とを省いて風力発電装置用変換器筐体１を作成可能になる。
【００４８】
また、メッキ済みの部材が組み立てられることによって風力発電装置用変換器筐体１が作成されることで、コーナ固定部材５１，５２，５３，５４，６１，６２，６３，６４と天板２０、底板３０、支柱４１，４２，４３，４４との接触面にもメッキを施すことができるようになる。これによって、コーナ固定部材５１，５２，５３，５４，６１，６２，６３，６４と天板２０、底板３０、支柱４１，４２，４３，４４との接触面が腐食することによって、長時間に揺れが伝達され、しかも金属が腐食しやすい環境に設置される風力発電装置用変換器筐体１の強度が劣化することを防止できるようになる。
【００４９】
さらに、扉取付部９０の外側方向に突出した突出面７１０，７２０を、扉９１の内側方向に設けられたパッキン８１０に挿入されるようにすることで、筐体内部への水や埃の浸入を防止できるようになる。
【００５０】
さらに、表面に金属粒子が結合されることでメッキ済みの天板２０と底板３０と支柱４１，４２，４３，４４とコーナ固定部材５１，５２，５３，５４，６１，６２，６３，６４とが組み立てられることで、メッキ面を剥離することなくアース接続することが可能になる。また、リベット挿入孔へのマスキング作業を省略できるようになる。さらに、耐ノイズ性に優れた筐体を提供できるようになる。
【００５１】
以上、本発明によってなされた発明を実施の形態に基づき具体的に説明したが、本発明は前記実施の形態に限定されるものではなく、その要旨を逸脱しない範囲で種々変更可能であることはいうまでもない。たとえば、天板２０および底板３０は多角形形状であればよく、天板２０および底板３０の形状が三角形、五角形、六角形等の多角形であってもよい。
【符号の説明】
【００５２】
１        風力発電装置用変換器筐体
２０      天板
２１，２２，２３，２４，３１，３２，３３，３４  隅部
３０      底板
４１，４２，４３，４４  支柱
５１，５２，５３，５４，６１，６２，６３，６４  コーナ固定部材
９０      扉取付部
９１      扉
２００    側面部
３００，３１０，３２０，３３０  側面部    
３２１，３３１，３４１，３４２，４２２，４２３，４３２，４３３，５２１，５２２，５２３，５３１，５３２，５３３，５４１，５４２  リベット挿入孔
４００，４１０  平面部
５２０    第１側面部
５３０    第２側面部
５４０    底面部
６２１，６２２，６２３，６３１，６３２，６３３，６４１，６４２  リベット
７１０，７２０  突出面
８１０    パッキン
１０００  風力発電装置用変換器
１１００  制御電源部
１１１０  制御電源盤
１２００  コンバータ・インバータ部
１２１０  コンバータ・インバータ盤
１３００  系統側
２０００  風力発電装置
２１００  ブレード
２２００  ナセル
２３００  タワー
【図１】
2014175556.tif 000003
【図２】
2014175556.tif 000004
【図３】
2014175556.tif 000005
【図４】
2014175556.tif 000006
【図５】
2014175556.tif 000007
【図６】
2014175556.tif 000008
【図７】
2014175556.tif 000009
【図８】
2014175556.tif 000010
【図９】
2014175556.tif 000011